(57)【要約】      （修正有）【課題】  立体粘土造形物の表面に自分で描いた装飾模様、印刷された装飾模様や写真等を表出させて立体造形と表面装飾が同時に行なえる装飾模様付粘土造形物の制作方法を提供する。【解決手段】粘土を伸し棒等で均等に薄く展伸して、該展伸した粘土を任意の各種形状の抜き型で所定形状の展伸粘土を作製したり、或いは粘土を型紙の上で伸し棒等により均等に薄く展伸して、型紙に応じた所定形状の展伸粘土を作製し、この表面に木工用接着剤を塗布し、この展展伸粘土表面に薄口装飾模様紙を貼着して、展伸粘土と薄口装飾模様紙とが一体となった装飾模様付粘土造形物を作製することによって、立体造形と同時に表面装飾を行なうことのできる装飾模様付粘土造形物の制作方法である。【選択図】  図１６
2005343154.tif 000002
【特許請求の範囲】
【請求項１】
粘土を伸し棒等で均等に薄く展伸して、該展伸した粘土を任意の各種形状の抜き型で所定形状の展伸粘土を作成し、この表面に木工用接着剤を塗布し、この展伸粘土表面に薄口装飾模様紙を貼着して、展伸粘土と薄口装飾模様紙とが一体となった装飾模様付粘土造形物を作製することを特徴とする装飾模様付粘土造形物の制作方法。
【請求項２】
粘土を型紙の上で伸し棒等により均等に薄く展伸して、型紙に応じた所定形状の展伸粘土を作成し、この表面に木工用接着剤を塗布し、この展伸粘土表面に薄口装飾模様紙を貼着して、粘土と薄口装飾模様紙とが一体となった装飾模様付粘土造形物を作製することを特徴とする請求項１記載の装飾模様付粘土造形物の制作方法。
【請求項３】
展伸粘土の表面に貼着する薄口装飾模様紙の模様が、印刷された印刷模様でこの印刷模様が展伸粘土と一体となり表面に表出することを特徴とする請求項１記載の装飾模様付粘土造形物の制作方法。
【請求項４】
展伸粘土の表面に貼着する薄口装飾模様紙が写真をプリントしたもので、この写真が展伸粘土と一体となり表面に表出することを特徴とする請求項１記載の装飾模様付粘土造形物の制作方法。
【請求項５】
薄口装飾模様紙の重量が２〜３０ｇ／ｍ２の範囲であることを特徴とする請求項１記載の装飾模様付粘土造形物の制作方法。
【発明の詳細な説明】
【技術分野】
【０００１】  本発明は、展伸粘土の表面に薄口装飾模様紙を貼着させ、立体粘土造形物の表面に自分で描いた装飾模様、印刷された装飾模様や写真等を表出させて立体造形と表面装飾が同時に行なえる装飾模様付粘土造形物の制作方法に関するものである。
【背景技術】
【０００２】  本出願人は、各種の造形教育材料として定評のあるオークレイ、フォルモ、クレア等と言う商品名で、多くの粘土製品を効果的な造形、色彩学習に提供し、更にホビー材料として人形専用粘土、造花専用粘土、多目的の超軽量粘土などの研究開発を行ない多彩な製品展開を成し遂げている。例えば、特願２００２−３８２０５９、特願２００３−１１７６１４等において、粘土を用いて手工芸用として容易に作製することのできる子供の手形或いは足形又はペットの手形或いは足形等を、実物と同様の雄型で提供することのできる手形或いは足形の製造方法に関する技術を開示している。【０００３】  又本出願人は、特願２００４−１４４１９８に於て、薄口装飾模様紙と雌型を使い、立体粘土造形物の表面に自分で描いた装飾模様、印刷された装飾模様や写真等を表出させて立体造形と表面装飾が同時に行なえる装飾模様付粘土造形物の制作方法に関する技術を開示している。【０００４】  特開２００２−１０４８６８公報に於て、安全性に優れると共に、簡易且つ明瞭な手形や足形の採取が可能な粘土粗生物が開示されている。しかし単に適度な押圧を加えて手形や足形を採取することのできる粘土組成物に付いて述べているのみで、立体造形と表面装飾を同時に行なうことのできる技術については未開示である。【０００５】  特開２００２−３１１８１４公報に於て、油粘土、樹脂粘土、紙粘土等を使用して教材用模型の作製方法及び教材用模型に関する技術が開示されている。しかし本公報に係る教材用模型の作製方法は、模型を描写したテンプレートを作製し、このテンプレートを基準に各種の粘土で造形し、その後この表面にコート処理するものであり、立体造形と表面装飾を同時に行なうことのできる技術については未開示である。
【発明の開示】
【発明が解決しようとする課題】
【０００６】  本発明は、このような課題に鑑み発明されたものであって、従来粘土の立体造形物の表面に色付け、模様、書き込み等を行ない装飾を施す場合、粘土の立体造形物を成形し、乾燥後粘土用のペイントを用いて色付け等を行なっていた。このため完成した粘土の立体造形物に手書きで色付け等をしなければならないなど装飾技法の自由度が狭かった。このような色付け、模様、書き込み等を予め紙にしておき、この紙が立体造形と同時に装飾をも行なうことのできる技術はは従来存在しなかった。しかも予め紙に色付け、模様、書き込み等手書きで行なうのみでなく、印刷することや写真による焼き付け等でもできる様な装飾技法の自由度を大幅に拡大することが望まれていたのである。本発明は、係る要請に答えることのできるもので、一般では難しいとされる完成度の高い作品を、子供やシルバーの方々まで簡単、短時間で制作することができ、繊細な立体造形物を容易且つ正確に作製し、しかも立体造形と同時に表面装飾を行なうことのできる装飾模様付粘土造形物の制作方法を提供するものである。
【課題を解決するための手段】
【０００７】  上記のごとき課題を解決するため鋭意技術開発を行なった結果、粘土を伸し棒等で均等に薄く展伸して、該展伸した粘土を任意の各種形状の抜き型で所定形状の展伸粘土を作製したり、或いは粘土を型紙の上で伸し棒等により均等に薄く展伸して、型紙に応じた所定形状の展伸粘土を作製し、この表面に木工用接着剤を塗布し、この展伸粘土表面に薄口装飾模様紙を貼着して、展伸粘土と薄口装飾模様紙とが一体となった装飾模様付粘土造形物を作製することによって、立体造形と同時に表面装飾を行なうことのできる装飾模様付粘土造形物の制作が可能であることを見出したのである。展伸粘土の表面に貼着する薄口装飾模様紙の模様は、手書きの装飾模様はもちろん印刷された印刷模様や写真でも、この薄口装飾模様が立体粘土造形物の表面に表出させることが可能である。薄口装飾模様紙の重量は、２〜３０ｇ／ｍ２の範囲が好適である。装飾模様付粘土造形物の粘土は、超軽量粘土、軽量粘土、油粘土、樹脂粘土、紙粘土、陶磁器用粘土等いずれの粘土でも良く、いかなる粘土でも使用することを可能としたのである。【０００８】  展伸粘土の表面に貼着する薄口装飾模様紙は、立体粘土造形物の表面装飾を行なうものである。薄口装飾模様紙は表面に各種の模様を手書き、印刷、写真の焼き付け等ができるものであり、展伸粘土に完全に密着して貼着すると共に、粘土が乾燥しても装飾模様付粘土造形物から剥離することはない。更に透明の薄口装飾模様紙を使用しカラー粘土を使用することにより、複合的な表現方法も可能である。【０００９】  薄口装飾模様紙として使用することのできる紙の重量は、ｍ２当たり２〜３０ｇの範囲のものが好適である。あまり厚い紙では繊細な装飾模様付粘土造形物を表現したり、カラー粘土を透かしてみせる効果を発揮することができないからである。【００１０】  紙は大きく分けて「紙」と段ボールなどの材料になる「板紙」に分けられ、「紙」は用途によって「印刷・情報用紙」、「包装用紙」、「衛生用紙」、「雑種紙」の四種類に分けることができる。本発明に於て使用することのできる紙は薄いものでなければならず、四種類に分類した中で「衛生用紙」の範畴に属するものであり、例えばティシュペーパー、化粧用紙、紙タオル、ナプキン等で、これらは薄口紙が何枚か重ね合わされているものであり、これらを剥離して１枚のみ使用する。【００１１】  薄口装飾模様紙は薄いものであるため、これに直接手書きで模様等を書き込むことはできるが、模様を印刷したり写真を焼き付けしたりする場合は、貼着及び剥離の容易にできる台紙の上に紙を貼着し、この上から印刷模様を印刷したり写真を焼き付けし、台紙から剥離して使用する。即ち、コピー用紙ほどの厚紙に貼着及び剥離が容易にできるマルチ糊剤を塗って、薄口装飾模様紙を貼着し印刷或いは写真の焼き付けを行ない厚紙から剥離して使用する。又薄口装飾模様紙が１枚では薄いため印刷等ができない場合は、これを２〜３枚重ね合わせて厚くして印刷等をし、使用する場合にこれを剥離して印刷等のされている面を１枚使用することもできる。写真の焼き付けは、デジカメで写真を撮りパソコンを用いて容易に焼き付けることができる。【００１２】  本発明に使用する各種抜き型は、立体造形物を形成することのできるものであれば良く、例えばクッキー型などが好適に使用できる。各種抜き型の材質は、金属、プラスチック、木などいずれでも使用することができる。又その形状は任意であり創作者の自由な判断によるものである。型紙に応じた所定形状の展伸粘土を作成するための型紙とは、紙製の台紙に所定形状を書きこの形状にあわせて展伸粘土を作成するためのものである。伸し棒は、市販の木製、金属製、プラスチック製などの丸棒を使用する。木工用接着剤は、市販の木工用ボンドを使用する。
【発明の効果】
【００１３】  本発明になる装飾模様付粘土造形物の制作方法に於ては、粘土の如何を問わずいかなる種類の粘土を使用しても、伸し棒で容易に展伸粘土を作製することができ、粘土表面に木工用接着剤を使用して、薄口装飾模様紙が貼着して薄口装飾模様紙と粘土とが一体となった装飾模様付粘土造形物を作製することができる。即ち立体造形と同時に表面装飾を行なうことのできる装飾模様付粘土造形物の制作が可能となったのである。。展伸粘土に貼着する薄口装飾模様紙の模様は、手書きの装飾模様はもちろん印刷された印刷模様や写真でも、この装飾模様が立体粘土造形物の表面に表出させることができた。装飾模様付粘土造形物の粘土は、超軽量粘土、軽量粘土、油粘土、樹脂粘土、紙粘土、石粉粘土、陶磁器用粘土等いずれの粘土でも良く、従来、このような装飾模様付粘土造形物にはできないとされていたいかなる粘土でも使用することを可能としたのである。【００１４】  本発明は、薄紙の薄口装飾模様紙を展伸粘土の上に貼着することによって、装飾模様付粘土造形物の一体造形と表面化粧という二重の効果を合わせ有するものであることを示すことができたのである。
【発明を実施するための最良の形態】
【００１５】  本発明を実施する場合、粘土は超軽量粘土又は軽量粘土を使用したものが好ましく、又装飾模様付粘土造形物の形態は立体造形、オブジェ、キーホルダー、ストラップ、ブローチ、フォトフレーム、立体絵葉書等の用途として使用できるものが好適である。【００１６】  薄口装飾模様紙として使用する紙の重量は、ｍ２当たり２〜３０ｇの範囲のものが好適である。あまり厚い紙では粘土との一体感が希薄となり、装飾模様付粘土造形物の一体造形と表面化粧という二重の効果を得ることができなくなり、更にカラー粘土を使用した場合、薄口装飾模様紙の模様とカラー粘土の色とが融和されなくなるからである。紙の種類は、「衛生用紙」の範畴に属するものであり、例えばティシュペーパー、化粧用紙、紙タオル、ナプキン等であり、これらは薄口紙を何枚か重ね合わせて構成されているので、これらを剥離して完全に１枚として使用する。【００１７】  装飾模様付粘土造形物の粘土は、超軽量粘土、軽量粘土、油粘土、樹脂粘土、紙粘土、石粉粘土、陶磁器用粘土等いずれの粘土でも良いが、軽量の装飾模様付粘土造形物を制作する場合は、粘土の構成粗成物としてガラスマイクロバルーン或いは／又はプラスチックバルーンの一種又は二種含有する粘土を使用した超軽量粘土又は軽量粘土が好適である。又、粘土は乾燥して硬化するものが好ましい。
【実施例】
【００１８】  本発明の実施例を図面をもとにして詳述する。【００１９】  実施例１  図は、本発明の制作手順を示したもので、図１は軽量粘土を伸し棒などでなるべく均等に、厚さ５〜８ｍｍ程度をめどに伸ばし展伸粘土を作製している状態を示したものである。図２は、展伸粘土にハート型の形状をしたクッキー型を使用してハート型に展伸粘土を抜いて作製したものである。薄口装飾模様紙をハート型に作製した展伸粘土の大きさより一回り大きめに切り抜いたのが図３である。展伸粘土の表面及びサイド部分と裏面の縁部分に木工用接着剤を塗布しているのが図４である。【００２０】  図５は、木工用接着剤を塗布した展伸粘土の表面に展伸粘土の大きさより一回り大きめに切り抜いた薄口装飾模様紙を貼着している。展伸粘土より大きめの薄口装飾模様紙の余った部分をサイドから後ろの縁部分まで巻き込むように貼付している状態を図６に示した。更にこのハートの形をした装飾粘土造形物をペンダント、ブローチ等のアクセサリーとして利用したのが図７である。【００２１】  本実施例に於て使用した薄口装飾模様紙は、一般にレストラン等で使用されているナプキンに装飾模様を印刷して、印刷された表面の１枚を剥離して使用した。薄口装飾模様紙の重量は１２．５ｇ／ｍ２である。粘土は、粒度が１００μｍ以下の３Ｍ社製ガラスマイクロバルーンを５５重量部、繊維長が３ｍｍ以下である粉末パルプを２０重量部、水溶性合成糊剤としてカルボキシルメチルセルロースを１５重量部、及び水を１５０〜２００重量部加えて混練りし作製した。乾燥硬化後のハートの形をした装飾模様付粘土造形物の比重は０．８以下の軽量なものであった。【００２２】  実施例２  図は、本発明のの制作手順を示したもので、図８は適量の大きさに丸めた軽量粘土と円形の型紙を示したものである。図９は丸めた軽量粘土を型紙の上に置き、型紙の円形にあわせて軽量粘土を広げているものである。この軽量粘土がほぼ均等に厚さ約３ｍｍ程度になった状態が図１０である。出来上がった丸い３ｍｍ厚の展伸粘土が図１１である。図１２は薄口装飾模様紙を型紙にあわせて丸く切ったものである。丸い展伸粘土の表面に木工用接着剤を満遍なく塗布し、薄口装飾模様紙を展伸粘土に合わせてピッタリと貼着するのが図１３である。【００２３】  図１４は、ビンの蓋に木工用接着剤を満遍なく塗布して、展伸粘土に薄口装飾模様紙を貼着した装飾模様付粘土造形物をビンの蓋に貼り合わせるところである。ビンの蓋の縁に合わせて指で軽く押していき、テーブルクロスのようなひらひら感を作りながら押している状態を図１５に示した。図１５の上に軽量粘土で作製したミニチュアの作品を木工用接着剤で貼付して完成したおしゃれな小物入れを図１６に示した。【００２４】  実施例２に於て使用した薄口装飾模様紙も実施例１と同様、一般にレストラン等で使用されているナプキンに実施例１と同様の装飾模様を印刷して、印刷された表面の１枚を剥離して使用した。薄口装飾模様紙の重量は１２．５ｇ／ｍ２である。粘土も実施例１と同様、粒度が１００μｍ以下の３Ｍ社製ガラスマイクロバルーンを５５重量部、繊維長が３ｍｍ以下である粉末パルプを２０重量部、水溶性合成糊剤としてカルボキシルメチルセルロー��を１５重量部、及び水を１５０〜２００重量部加えて混練りし作製した。乾燥硬化後の装飾模様付粘土造形物の比重は、実施例１と同様０．８以下の軽量なものであった。
【産業上の利用可能性】
【００２５】  本発明になる装飾模様付粘土造形物の制作方法の技術は、従来全く行なわれていなかった展伸粘土に薄口装飾模様紙を貼着するという手法によって、立体造形と表面装飾を同時一体に行なうことができ、一般では困難とされていた完成度の高い作品を小さな子供やシルバーの方々まで簡単、容易、且つ短時間で制作することができるようになり。多くの粘土製品を効果的な造形、色彩学習更にホビー材料として広く利用することを可能ならしめたのである。
【図面の簡単な説明】
【００２６】
【図１】  実施例１の展伸粘土作製の状態。
【図２】  展伸粘土をハート型のクッキー型で抜いた状態。
【図３】  薄口装飾模様紙をハート型に切り抜いていた状態。
【図４】  ハート型の展伸粘土に薄口装飾模様紙を貼着する状態。
【図５】  ハート型の展伸粘土に薄口装飾模様紙を貼着した状態。
【図６】  薄口装飾模様紙の余った部分を巻き込んでいる状態。
【図７】  完成したハート型の装飾模様付粘土造形物。
【図８】  実施例２の軽量粘土と円の型紙。
【図９】  軽量粘土を型紙の上に置いた状態。
【図１０】  型紙に合わせて円形の展伸粘土を作製した状態。
【図１１】  円形の展伸粘土。
【図１２】  円形の薄口装飾模様紙。
【図１３】  円形の展伸粘土の表面に円形の薄口装飾模様紙を貼着する状態。
【図１４】  ビンの蓋に木工用接着剤を塗布している状態。
【図１５】  ビンの蓋の縁に合わせて薄口装飾模様紙付展伸粘土を押している状態。
【図１６】  おしゃれな小物入れの完成図
【符号の説明】
【００２７】１．展伸粘土
２．伸し棒
３．手
４．ハート型のクッキー型
５．ハート型の展伸粘土
６．薄口装飾模様紙
７．ハート型の薄口装飾模様紙
８．鋏
９．木工用接着剤
１０．完成したブローチ
１１．軽量粘土
１２．型紙
１３．円形の展伸粘土
１４．円形の薄口装飾模様紙
１５．薄口装飾模様紙付展伸粘土
１６．ビンの蓋
１７．ビン
１８．ミニチュアの作品
１９．完成した小物入れ
【図１】
2005343154.tif 000003
【図２】
2005343154.tif 000004
【図３】
2005343154.tif 000005
【図４】
2005343154.tif 000006
【図５】
2005343154.tif 000007
【図６】
2005343154.tif 000008
【図７】
2005343154.tif 000009
【図８】
2005343154.tif 000010
【図９】
2005343154.tif 000011
【図１０】
2005343154.tif 000012
【図１１】
2005343154.tif 000013
【図１２】
2005343154.tif 000014
【図１３】
2005343154.tif 000015
【図１４】
2005343154.tif 000016
【図１５】
2005343154.tif 000017
【図１６】
2005343154.tif 000018